(57)【特許請求の範囲】
【請求項１】
下記の一般式で表せる含酸素酸塩化合物であることを特徴とする蛍光体。
一般式    ＥｒｘＹｂｓＢ１−ｘ−ｓＰｙＯｚ
但し、式中のＢはＹ，Ｌａ，Ｇｄ，Ｂｉ，Ｃｅ，Ｌｕ，Ｉｎのグループから選択された少なくとも１種の元素
ｓは０．０１〜０．９９の範囲の数値
ｘは０．０１〜０．９９の範囲の数値
ｙは１
ｚは４
【請求項２】
下記の一般式で表せる含酸素酸塩化合物の蛍光体微粉末と、赤外線を透過するバインダとからなる赤外線励起性印刷層を基体上に形成したことを特徴とする潜像形成部材。
一般式    ＥｒｘＹｂｓＢ１−ｘ−ｓＰｙＯｚ
但し、式中のＢはＹ，Ｌａ，Ｇｄ，Ｂｉ，Ｃｅ，Ｌｕ，Ｉｎのグループから選択された少なくとも１種の元素
ｓは０．０１〜０．９９の範囲の数値
ｘは０．０１〜０．９９の範囲の数値
ｙは１
ｚは４
【請求項３】
下記の一般式で表せる含酸素酸塩化合物を蛍光体として用い、
その蛍光体を励起する発光素子の発光中心波長が９００〜１０００ｎｍの範囲で、
その蛍光体からの光を受光する受光素子の受光可能な波長領域が１４００〜１６００ｎｍの範囲で、
前記発光素子からの赤外線により前記蛍光体を励起せしめ、その蛍光体からの光を前記受光素子で検出することを特徴とする光学読取システム。
一般式    ＥｒｘＹｂｓＢ１−ｘ−ｓＰｙＯｚ
但し、式中のＢはＹ，Ｌａ，Ｇｄ，Ｂｉ，Ｃｅ，Ｌｕ，Ｉｎのグループから選択された少なくとも１種の元素
ｓは０．０１〜０．９９の範囲の数値
ｘは０．０１〜０．９９の範囲の数値
ｙは１
ｚは４
【発明の詳細な説明】
【０００１】
【産業上の利用分野】
本発明は、赤外線の照射によって励起され、赤外波長領域で発光する蛍光体およびその蛍光体を用いた潜像形成部材ならびに光学読取システムに関するものである。
【０００２】
【従来の技術】
近年、流通産業界を中心に各産業界でバーコードによる物の管理などが盛んに行われたり、また、各種プリペイドカードあるいは通行カードなどにもバーコードが印刷され、スキヤナなどの光学読取装置を用いてこのバーコードを読み取り、所定の処理動作が行われるようになつている。
【０００３】
最近では現金に代わる支払方法としてクレジットカードやプリペイドカードなどか使用されており、それらカードに偽造防止手段を施したり、あるいはカードが偽造されたものであるか否かを判別する方法が種々提案されている。
【０００４】
その１つとして、バーコードなどのマークを蛍光体を含有したインクにより印刷して潜像マークを形成し、その潜像マークに半導体レーザを照射して蛍光体を励起せしめ、蛍光体から発する光を受光してバーコード情報を読み取る光学読取装置が提案されている。
【０００５】
図１０は蛍光体として使用されるＬｉＮｄＰ4 Ｏ12の発光スペクトル（スペクトルａ）、図１１は中心波長λｐが８１０ｎｍの半導体レーザダイオードの発光スペクトル（スペクトルｂ）、図１２は受光素子に受光される光のスペクトルである。図１２中のスペクトルｂは前記半導体レーザダイオードから出力されたレーザの反射光で図１１の発光スペクトル（スペクトルｂ）と同じである。また図１２中の点線（ｃ）は、スペクトルａとスペクトルｂを分離するために受光素子の受光面近傍に取りつけた光学フィルタの遮断特性曲線である。
【０００６】
このように蛍光体の発光スペクトル（スペクトルａ）と半導体レーザダイオードの発光スペクトル（スペクトルｂ）の波長がかなり離れているため、（ｃ）の遮断特性を有する光学フィルタを使用すると、半導体レーザダイオードから出力されるレーザにより蛍光体マークを照射しながら、前記光学フィルタによってレーザの反射光を遮断し、蛍光のみを透過して受光素子で受光することにより蛍光体マークを検出できる。
【０００７】
【発明が解決しようとする課題】
ところが蛍光体として使用されるＮｄを発光中心とする蛍光体は公知の材料であるから、偽造防止のために使用する効果が薄いという難点がある。
【０００８】
本発明の目的は、このような従来技術の欠点を解消した新規な蛍光体およびそれを用いた潜像形成部材ならびに光学読取システムを提供するにある。
【０００９】
【課題を解決するための手段】
前記目的を達成するため、第１の発明は、
蛍光体がＥｒ０．２Ｙｂ０．２Ｙ０．６ＰＯ４などのように下記の一般式で表せる含酸素酸塩化合物からなることを特徴とするものである。
一般式    ＥｒｘＹｂｓＢ１−ｘ−ｓＰｙＯｚ
但し、式中のＢはＹ，Ｌａ，Ｇｄ，Ｂｉ，Ｃｅ，Ｌｕ，Ｉｎのグループから選択された少なくとも１種の元素
ｓは０．０１〜０．９９の範囲の数値
ｘは０．０１〜０．９９の範囲の数値
ｙは１
ｚは４
【００１０】
前記目的を達成するため、第２の発明は、
潜像形成部材において、例えばＥｒ０．２Ｙｂ０．２Ｙ０．６ＰＯ４などのように下記の一般式で表せる含酸素酸塩化合物の蛍光体微粉末と、例えばワックス、塩化ビニル−酢酸ビニル共重合体などの赤外線を透過するバインダとからなる赤外線励起性印刷層を基体上に形成したことを特徴とするものである。
一般式    ＥｒｘＹｂｓＢ１−ｘ−ｓＰｙＯｚ
但し、式中のＢはＹ，Ｌａ，Ｇｄ，Ｂｉ，Ｃｅ，Ｌｕ，Ｉｎのグループから選択された少なくとも１種の元素
ｓは０．０１〜０．９９の範囲の数値
ｘは０．０１〜０．９９の範囲の数値
ｙは１
ｚは４
【００１１】
前記目的を達成するため、第３の発明は、
光学読取システムにおいて、例えばＥｒ０．２Ｙｂ０．２Ｙ０．６ＰＯ４などのように下記の一般式で表せる含酸素酸塩化合物を蛍光体として用い、
その蛍光体を励起する発光素子の発光中心波長が９００〜１０００ｎｍの範囲で、
その蛍光体からの光を受光する受光素子の受光可能な波長領域が１４００〜１６００ｎｍの範囲で、
前記発光素子からの赤外線により前記蛍光体を励起せしめ、その蛍光体からの光を前記受光素子で検出することを特徴とするものである。
一般式    ＥｒｘＹｂｓＢ１−ｘ−ｓＰｙＯｚ
但し、式中のＢはＹ，Ｌａ，Ｇｄ，Ｂｉ，Ｃｅ，Ｌｕ，Ｉｎのグループから選択された少なくとも１種の元素
ｓは０．０１〜０．９９の範囲の数値
ｘは０．０１〜０．９９の範囲の数値
ｙは１
ｚは４
【００１２】
【作用】
本発明で使用される前記一般式の含酸素酸塩化合物は、従来公知のＮｄを発光中心とする発光スペクトルとは異なった新規の発光スペクトルを有しているから、偽造防止用などに顕著な効果がある。
【００１３】
【実施例】
以下、本発明の実施例を図面とともに説明する。図１は本実施例に係る光学読取装置（バーコードリーダ）の平面図、図２はその光学読取装置における読取ヘッドの要部分解斜視図、図３はその読取ヘッドの図２のＸ−Ｘ方向の断面図、図４はその読取ヘッドの図２のＹ−Ｙ方向の断面図である。
【００１４】
図１に示すように光学読取装置（バーコードリーダ）は装置本体１と、装置本体１内に装着された読取ヘッド２と、この読取ヘッド２に接続されて後述するような諸制御を行う素子を搭載したプリント基板３とから主に構成されている。
【００１５】
同図に示すように前記装置本体１の上面にはカード４が挿通されるガイド溝５が形成されており、このガイド溝５の内側壁面に臨むように前記読取ヘッド２が取り付けられている。
【００１６】
後述のバーコードパターンを有するカード４が手操作で前記ガイド溝５に沿って矢印方向に挿通され、その間にバーコードパターンの情報が前記読取ヘッド２によって光学的に読み取られる。
【００１７】
この読取ヘッド２は図２に示すように、ケースを兼ねたへッド本体６と、そのヘッド本体６内に挿入されるスリットシート７と、素子ホルダーを兼ねたシート押さえ部材８と、そのシート押さえ部材８に保持される発光素子９ならびに受光素子１０と、前記ヘッド本体６の上面開口を閉塞するヘッドカバー１１とから構成されている。
【００１８】
前記ヘッド本体６の下面中央には、カード４に形成されたバーコードパターン２８（図５参照）の縦長方向と平行な開口部１３が形成され、また下面両側には図３に示すように係合段部１４が設けられている。
【００１９】
ヘッド本体６の内側には、前記開口部１３に向けて両側から傾斜したシート受面１５、１５が形成され、このシート受面１５、１５の途中にピン１６（図２参照）が立設されており、前記開口部１３の両端部には係止溝１７（図２参照）が設けられている。
【００２０】
図２ならびに図３に示すように、ヘッド本体６の上面開口付近にはこの読取ヘッド２を装置本体１に取りつけるためのフランジ部１８、１８が突設されている。
【００２１】
前記スリットシート７は図２に示すように、例えばポリエチレンテレフタレート（ＰＥＴ）などの透明な合成樹脂フィルムからなるベースフィルムの上にスリット状透光部１９（図２参照）を除いて黒色の印刷層２０を形成したフレキシブルなシートから構成されている。このスリットシート７の前後には孔２１が設けられ、この孔２１に前記ヘッド本体６のピン１６をそれぞれ挿通することにより、ヘッド本体６上でのスリットシート７の位置決めがなされ、図３に示すようにヘッド本体６の開口部１３の中央にスリットシート７のスリット状透光部１９が配置される。
【００２２】
この実施例では透明なベースフィルム上に印刷層２０を形成したスリットシート７を用いたが、例えばステンレススチールなどの金属薄板にスリット状の溝を形成したスリットシートも使用できる。
【００２３】
前記シート押さえ部材８の下面は図２ならびに図３に示すように、前記ヘッド本体６のシート受面１５に沿ってわん曲しており、このシート押さえ部材８の下面とヘッド本体６のシート受面１５との間でスリットシート７が機械的に挟持され、スリットシート７の透光部１９がヘッド本体６の開口部１３内に押し出される。シート押さえ部材８の中央にスリット状の光規制孔２２が形成され、図３に示すように透光部１９と対向している。
【００２４】
シート押さえ部材８の両側には平面形状がＴ字形をした係止片２３、２３（図２参照）がそれぞれ一体に突設され、この係止片２３、２３を前記ヘッド本体６の係止溝１７、１７に嵌入することにより、ヘッド本体６内でのシート押さえ部材８の取付けがなされる。
【００２５】
シート押さえ部材８の上部には一部円弧状をした保持壁２４が立設され、図４に示すようにこの保持壁２４内に発光素子９ならびに受光素子１０の先端部が挿入、保持される。
【００２６】
前記発光素子９として近赤外線を含む赤外線を発光する中心波長が９２０〜
９６０ｎｍのものが使用され、実施例では中心波長が９４０ｎｍの発光ダイオードを用いている。
【００２７】
前記受光素子１０としは、発光波長領域である１４００〜１６００ｎｍの範囲を検出できるＧｅ，Ｉｎ−Ｇａ−Ａｓ，ＰｂＳ，ＰｂＳｅ製の受光素子が使用される。
【００２８】
前記ヘッドカバー１１の周囲には４本の係合爪２５が下方を向いて突設されており、図３に示すようにこの係合爪２５をヘッド本体６の係合段部１４にそれぞれ係合することにより、読取ヘッド２の組み立てが終了する。
【００２９】
前記ヘッドカバー１１の内面には図３に示すように脚部２６が下方を向いて突設されており、図３に示す如くヘッドカバー１１の組み込みが終了すると、この脚部２６によって発光素子９ならびに受光素子１０を介してシート押さえ部材８がシート受面１５側に押圧され、スリットシート７の固定が確実になされる。
【００３０】
次にカード４の構成について、図５ならびに図６を用いて説明する。このカード４は例えば各種プリペイドカード、テレホンカード、通行カードなどとして使用される。
【００３１】
図５はカードの平面図、図６はそのカードの要部拡大断面図である。
【００３２】
図５に示すようにカード基板２７の表面には、潜像のバーコードパターン２８を有する印刷層２９（図５参照）が形成されている。カード基板２７は例えば酸化チタンなどの白色顔料を分散、保持した塩化ビニール系シートなどから構成され、赤外線を反射する性質を有している。
【００３３】
印刷層２９には、赤外線の照射によって励起される蛍光体微粒子と、それを分散保持する透明な（赤外線透過性）バインダとからなるインクにより所望のバーコードパターン２８が印刷されている。
【００３４】
前記蛍光体は、下記の一般式で表せるリン酸塩化合物であり、この蛍光体は耐薬品性に優れている。
一般式    ＥｒｘＹｂｓＢ１−ｘ−ｓＰｙＯｚ
但し、式中のＢはＹ，Ｌａ，Ｇｄ，Ｂｉ，Ｃｅ，Ｌｕ，Ｉｎのグループから選択された少なくとも１種の元素
ｓは０．０１〜０．９９の範囲の数値
ｘは０．０１〜０．９９の範囲の数値
ｙは１
ｚは４
【００３７】
この蛍光体微粒子の具体的な製造例における仕込み原料の割合及び比較例に係る蛍光体微粒子の具体的な製造例における仕込み原料の割合と、それによって製造された蛍光体組成を図７に示す。
【００３８】
図７において実施例及び比較例１，２，３，４は、７００℃で２時間焼成した後、熱水により処理し、更に硝酸（１モル）で処理した後、水洗して蛍光体を得た。
【００３９】
比較例５，６，７は１２００℃で２０時間焼成したし以外は前記実施例１と同様にして蛍光体を得た。
【００４０】
前記比較例１によって得られた蛍光体（ＫＹｂ0.9 Ｅｒ0.1 Ｐ4 Ｏ12）の発光スペクトルを図１３に示す。なお、図中の点線は発光ＬＥＤのスペクトルである。この図から明らかなように、９４０ｎｍＬＥＤにより１５８０ｎｍにピークをもつ発光が得られるから、既存のＮｄの検出システムでは読み取り不可能である。
【００４１】
蛍光体微粒子の含有率は５０〜８０重量％が適当で、本実施例では７５重量％である。蛍光体微粒子の含有率が５０重量％未満であると印刷層２９からの出力が弱く、一方、蛍光体微粒子の含有率が８０重量％を超えると印刷層２９（バーコードパターン）の印刷性が悪くなり、印刷不良を生じる恐れがある。
【００４２】
前記バインダーとしては、例えばワックス、塩化ビニル−酢酸ビニル共重合体、エチレン−酢酸ビニル共重合体、ポリエステル、ポリウレタン、カーボネートなどの単独あるいは混合物が使用される。なお、必要に応じて可塑剤、界面活性剤などが適宜添加される。
【００４３】
蛍光体微粒子は赤外線で励起されて発光する訳であるが、蛍光体微粒子の励起を効果的に行うため、前記基板２７の反射率を２０％以上にしている。すなわち基板２７に高い反射率をもたせることにより、基板２７の表面で赤外線を反射させて、蛍光体微粒子の励起を促進している。前述のように基板２７中に酸化チタンなどの白色顔料を分散保持させることにより、基板２７の反射率を高くすることができ、本実施例の場合は反射率８０％の基板２７が使用されている。
【００４４】
次の表は、前記白色顔料の含有率を調整して基板２７の光反射率を種々変えた場合の印刷層２９の出力電圧とＳ／Ｎを測定した結果を示す表である。
【００４５】
0003651913.tif 000002
この表から明らかなように、基板２７の反射率が２０％未満であると出力電圧が十分にとれず、しかもＳ／Ｎが小さく、そのために正確な情報の読み取りができない。これに対して基板２７の反射率が２０％以上、好ましくは５０％以上になると出力電圧ならびにＳ／Ｎが高く、正確な情報の読み取りができる。
【００４６】
図８は印刷層２９の膜厚と出力電圧との関係を示す特性図で、横軸に印刷層
２９の膜厚を、縦軸に印刷層２９の励起による出力電圧を示している。
【００４７】
図中のＡは前述のように白色顔料を含有した基板２７の表面に印刷層２９を形成した場合の膜厚と出力電圧との関係を示す特性曲線、直線Ｂは印刷層２９の出力が、前記顔料を含有した基材（可視光領域での平均光反射率８０％）のみの出力電圧の１．６倍となる出力レベルを示した線である。
【００４８】
本発明者らの種々の実験の結果、印刷層２９の出力電圧が直線Ｂよりも低いと、印刷層２９の情報を十分に読み取ることができないから、印刷層２９の出力電圧はこの出力電圧の１．６倍（直線Ｂ）以上必要であり、そのときの印刷層２９の最小厚みがこの図から明らかなように０．５μｍである。印刷層２９の厚みが増えるに従って出力電圧は増大するが、５０μｍになるとほぼ一定する。
【００４９】
印刷層２９の厚みが５０μｍを越えると、光の反射の具合で潜像の印刷層２９があることが分かってしまうので、印刷層２９の厚みは０．５〜５０μｍの範囲に規制する方がよい。
【００５０】
図示していないが印刷層２９を形成したカード基板２７の全面に印刷層２９（バーコードパターン２８）を覆うように隠蔽層を形成すると、印刷層２９の存在を隠すことができる。
【００５１】
前記印刷層２９ならびに隠蔽層は、例えば熱転写，インクジェット，オフセット印刷，スクリーン印刷あるいはグラビア印刷などで作ることができる。そのなかでも特にインクリボンを使用して、熱転写により印刷層２９と隠蔽層を順次形成する方法は、高濃度の蛍光体微粒子を含有した印刷が可能で、しかも所望の厚さの層が確実に得られるなどの理由から賞用できる。
【００５２】
図９は、前記発光素子９からの発光のタイミングならびに受光素子１０の出力状態を示すタイミングチャートである。
【００５３】
同図の（ａ）に示すように発光素子９は、点灯時間Ｔ1 および消灯時間Ｔ2 が共に５００μｓｅｃの略等しい時間間隔でオン、オフ動作し印刷層２９に対して間欠的に赤外線を照射するようになっている。図中のＳ1 は、発光素子９の点灯信号を示している。
【００５４】
同図の（ｂ），（ｃ）はバーコードパターン２８（印刷層２９）を検出した場合の受光素子１０の出力状態を示す図で、発光素子９からの赤外線でバーコードパターン２８中の蛍光体微粒子を励起する。そのため同図（ｂ）に示すように発光素子９の点灯が終了するまで出力が増大する。そして発光素子９からの照射を停止しても、バーコードパターン２８から放出される残光を受光素子１０が検出する。この残光は時間とともに減少するため、予め基準値Ｖｓを設定しておき、この基準値Ｖｓと比較することにより、発光素子９が消灯した直後に矩形信号Ｓ3 が得られる。
【００５５】
従って、微小時間毎に発光素子９の点灯、消灯を繰り返すことによりバーコードパターン２８のバーコード情報を光学的に読み取ることができる。
【００５６】
このように蛍光体の残光を検出する方法では、蛍光体を光学的に読み取る際には発光素子は消灯しているから反射光がなく、そのため高価な光学フィルタを使用しなくても蛍光を検出することができ、小型でかつ低価格の光学読取システムを提供することができる。
【００５７】
同図（ｃ）は蛍光体の残光を検出する方法を示したが、発光素子の発光中心波長領域（９２０〜９６０ｎｍ）の光を遮断して蛍光体の発光中心波長領域（１４００〜１６０ｎｍ）の光を通過するフィルタを使用すれば、発光素子がオンしている時の蛍光体からの光を検出することができる。同図の（ｄ）は、そのときの受光素子１０の出力状態を示している。
【００５８】
前記実施例ではバーコードを付した場合について説明したが、本発明はこれには限定されるものではなく、例えば数字、記号、特殊形状のマークなど他のマークの読み取りも可能である。
【００５９】
前記実施例ではカードを使用した場合について説明したが、本発明はこれに限定されるものではなく、例えばシート状、袋状、伝票状など他の形態の情報記録媒体の読み取りも可能である。
【００６０】
本発明の光学読取システムは、次のような用途ならびに特徴も有している。
【００６１】
１．ファクトリーオートメーション（ＦＡ）関係
自動車などの組み立て時の管理、すなわち車種別、輸出先国別、製造年月日、製造ロット別などを見えない潜像マークを用いて、外観を損ねることなく管理できる。
【００６２】
２．従来の反射型のバーコードでは読み取れなかった、例えばタイヤなどのような黒いもの、あるいはガラスやプラスチックなどの透明なものへマーキングしても、そのマークの読み取りが可能である。
【００６３】
３．潜像マークの上に文字やデザインを印刷しても潜像マークを読み取ることができるから、商品の値札や商品タグなど小さいスペースが有効に利用できる。
【００６４】
４．前記１．ならびに３．と同じ理由から、化粧品や薬などデザインを重視する商品、あるいは高級感が要求される各種の化粧箱やバッケージに有効である。
【００６５】
５．工場や現場などでは油やホコリで汚れるため従来の反射型のバーコードでは使用できなかった環境下においても、潜像マークでは読み取りが可能である。
【００６６】
６．前記１．ならびに３．と同じ理由から、顧客への納品伝票（通常、納品伝票は顧客の指定する用紙、フォーマットで顧客が必要な情報しか入っていない）に隠しコードとしてメーカ側の管理情報を入れることがてきる。
【００６７】
７．カード状のものに隠しコードとして情報を入れ、ゲームカード（バーコードゲーム）として使用可能である。
【００６８】
８．前記１．ならびに３．と同じ理由から、書籍の管理、図書の管理、図面の管理などに用いれば、デザインを損なうことがない。
【００６９】
９．偽造、変造、改ざんが極めて困難であるから、入退室管理、出退勤管理、ホテルのキーカードなどに適用できる。
【００７０】
１０．有価証券や株券などの偽造、変造、改ざんが防止できる。
【００７１】
１１．クレジットカード、キャッシュカード、テレホンカードなどの偽造、変造、改ざんが防止できる。
【００７２】
１２．学生証、ＩＤカードなどの偽造、変造、改ざんが防止できるとともに、小型化、省スペース化が可能である。
【００７３】
１３．スタンプカード、ポイントカードなどの偽造、変造、改ざんが防止できるとともに、小型化、省スペース化が可能である。
【００７４】
１４．馬券、車券などのギヤンブル投票券の偽造、変造、改ざんが防止できる。
【００７５】
１５．パチンコの景品交換システムに導入して、偽造、変造、改ざんが防止できる。
【００７６】
【発明の効果】
本発明で使用される前記一般式の含酸素酸塩化合物は、従来公知のＬｉＮｄＰ4 Ｏ12の発光スペクトルとは異なった新規の発光スペクトルを有しているから、偽造防止用などに顕著な効果がある。
【００７７】
【図面の簡単な説明】
【図１】本発明の実施例に係る光学読取装置を備えたバーコードリーダの平面図である。
【図２】本発明の実施例に係る光学読取装置の読取ヘッドの分解斜視図である。
【図３】図２のＸ−Ｘ方向の断面図である。
【図４】図２のＹ−Ｙ方向の断面図である。
【図５】本発明の実施例で使用されるカードの平面図である。
【図６】そのカードの要部拡大断面図である。
【図７】本発明の各実施例における仕込み原料の割合と、製造された蛍光体の組成を示す図である。
【図８】前記カードの印刷層の膜厚と出力電圧との関係を示す特性図である。
【図９】本発明の実施例に係る光学読取装置の発光素子、受光素子のタイミングチャートである。
【図１０】蛍光体ＬｉＮｄＰ4 Ｏ12の発光スペクトル図である。
【図１１】半導体レーザダイオードの発光スペクトル図である。
【図１２】受光素子で受光した光のスペクトル図である。
【図１３】本発明の比較例１によって製造された蛍光体の発光スペクトル図である。
【符号の説明】
１  装置本体
２  読取ヘッド
４  カード
９  発光素子
１０  受光素子
１２  バーコードパターン
２７  カード基板
２８  バーコードパターン
２９  印刷層
【図１】
0003651913.tif 000003
【図２】
0003651913.tif 000004
【図３】
0003651913.tif 000005
【図４】
0003651913.tif 000006
【図５】
0003651913.tif 000007
【図６】
0003651913.tif 000008
【図７】
0003651913.tif 000009
【図８】
0003651913.tif 000010
【図９】
0003651913.tif 000011
【図１０】
0003651913.tif 000012
【図１１】
0003651913.tif 000013
【図１２】
0003651913.tif 000014
【図１３】
0003651913.tif 000015